(57)【要約】      （修正有）【課題】シートバックを前倒位置から元の傾斜角度位置に復帰させるメモリー機構を有するリクライニング装置を提供する。【解決手段】ベースプレート１とギヤプレート２との間にロックギヤ６及びギヤプレートの別の内歯に係合可能な外歯２８を有するメモリーギヤを配設し、ロックギヤ上には突出部６ａを突設させると共に該突出部とギヤプレート２の内周縁との間にメモリーリング１３を配設し、該メモリーリングにはロックギヤとギヤプレートの係合の際にスプリングの付勢によりメモリーリングが回動してロックギヤの突出部６ａに当接する肩部１５を設け、シートバックの前倒の際にロックギヤの突出部とメモリーリングの肩部との係合を外すためにロックギヤを径内方向に移動させるフリー部をギヤプレートに備えると共にスプリングの付勢によりメモリーリングが回動してメモリーギヤの側面部２６ｂに当接する係合突起１３ａをメモリーリングに設けてある。【選択図】図４
2008119362.tif 000002
【特許請求の範囲】
【請求項１】
ベースプレート（１）と該ベースプレートに対して回動可能に組み付けられたギヤプレート（２）との間に、ギヤプレート（２）の内歯（１０）と係脱可能な外歯（８）を有する２つのロックギヤ（６）と、
ロックギヤ（６）の移動方向を規制し、ロックギヤ（６）が摺動する互いに平行な摺動面を有する二対の固定ガイド（７）と、
ロックギヤ（６）の径外方向の移動を制御し、ロックギヤ（６）の外歯（８）をギヤプレート（２）の内歯（１０）と係合させるカム（５）と、
ロックギヤ（６）とギヤプレート（２）の内歯（１０）を係合させる方向にカム（５）を回転付勢するスプリング（９）と、
ロックギヤ（６）の径内方向の移動を制御し、ギヤプレート（２）の内歯（１０）からロックギヤ（６）を離脱させるレバープレート（１４）と、を備えるリクライニング装置において、
ギヤプレート（２）の内歯（１０）からロックギヤ（６）を離脱させる移動に連動して、ギヤプレート（２）の別の内歯（２０）と係合可能なメモリーギヤ（２６）を備え、ロックギヤ（６）上には突出部（６ａ）を突設させると共にメモリーリング（１３）をギヤプレート（２）の内周縁とロックギヤ（６）の突出部（６ａ）との間に配設し、ロックギヤ（６）とギヤプレート（２）との係合の際にスプリングの付勢によりメモリーリング（１３）が回動してロックギヤ（６）の突出部（６ａ）に当接する肩部（１５）をメモリーリング（１３）に設け、シートバックの前倒の際にロックギヤ（６）の突出部（６ａ）とメモリーリング（１３）の肩部（１５）との係合を外すためにロックギヤ（６）を径内方向に移動させるフリー部（１８）をギヤプレート（２）に設けると共にスプリングの付勢によりメモリーリング（１３）が回動してメモリーギヤ（２６）の側面部（２６ｂ）に当接する係合突起（１３ａ）をメモリーリングに設けたリクライニング装置。
【請求項２】
メモリーギヤ（２６）には円弧状溝（２７）を形成し、該円弧状溝（２７）に嵌合可能な円弧状突起（２４）を有するメモリープレート（２２）を備え、メモリープレート（２２）には２つのロックギヤ（６）の突出部（６ａ）に突設したカム突起（６ｂ）に係合する２つのカム孔（２３）を設け、該２つのカム孔（２３）を一直線上に延伸する長孔で形成した請求項１に記載のリクライニング装置。
【請求項３】
ロックギヤ（６）にはその背面に形成した凹部（１１）にロックギヤ（６）を径外方向に付勢するスプリング（１２）を備え、メモリープレート（２２）には対向方向に形成した２つの引掛部（２２ａ）にメモリーギヤ（２６）を径内方向に付勢する弓形状スプリング（２５）を取付けた請求項２に記載のリクライニング装置。
【発明の詳細な説明】
【技術分野】
【０００１】
本発明はシートバックを任意の傾斜角度に調整可能にすると共にウォークイン動作等でシートバックを前倒位置に移動させる際に元の傾斜角度位置を記憶させかつその傾斜位置に復帰させるメモリー機構を有するリクライニング装置に関するものである。
【背景技術】
【０００２】
この種のメモリー機構を有するリクライニング装置は特開２００６−６７１２号公報から公知である。この公知のリクライニング装置は円形のハウジングと円形のアッパーギヤーとにより形成されている内部空間にカムと、該カムに係合している３個のポールと、保持プレートと、作動プレートと、メモリープレートを収容し、操作レバーを解放させることにより、ポールの外歯をアッパーギヤーの内歯と噛合するようにロックスプリングによりカムを一方向に付勢し、カムの表面にカム穴を設け、そのカム穴に作動プレートの爪部を係合させ、カムの動きに応じて作動プレートを径方向に往復動させ、作動プレートの動きに応じてメモリープレートをアッパーギヤーに係脱自在とさせてある。シートバックの前倒しにおいて操作レバーを操作させると、カムにより３個のポールの各外歯とアッパーギヤーの内歯との噛合を解除し、メモリープレートの外歯とアッパーギヤーの別の内歯とを噛合させてシート位置を記憶し、シートバックを前倒位置に移動させると、アッパーギヤーのピンが保持プレートの係合面を押圧し、ポールの突起部が保持プレートの溝部内に入り、アッパーギヤーと３個のポールの歯の解除状態が保持される。シートバックを元の位置に戻すと、アッパーギヤーがメモリープレートと共に回動するが、保持プレートはアッパーギヤーとポールとの解除状態を保持し、アッパーギヤーを更に回動させるとアッパーギヤーのピンが保持プレートの係合面から離れ、メモリープレートが操作前の角度位置に戻ると、メモリープレートが保持プレートの爪部を押圧して保持プレートを回動させ、ポールの突起部と保持プレートの溝部との係合を外し、それによりポールがアッパーギヤーと係合し、シートバックは前倒し前の元の位置に戻るようになっている。
【０００３】
【特許文献１】特開２００６−６７１２号公報
【発明の開示】
【発明が解決しようとする課題】
【０００４】
上述した従来技術のリクライニング装置においては保持プレートと、作動プレートと、メモリープレートをそれぞれ操作軸付近に重ね合わせているためにユニットの厚さが増大すると共にそれらを設置するのに広いスペースを必要とし、スペースの少ない車内に装着するのに不都合であり、またポールが保持プレートの溝部に乗り上げる段差が大きいためにアッパーギヤーの内歯とポールの外歯とを所定位置で迅速に係合させることができず、更に作動プレートを押圧するのはカムのカム穴でありかつ保持プレートの溝部に乗り上がるのがポールの突出部であってそれぞれ別部材であるため構造が複雑となる欠点がある。
【０００５】
本発明の目的はギヤプレートの内歯とロックギヤの外歯とを所定位置において迅速、正確かつ確実に係脱させることができかつシートバックの傾斜角度を記憶するメモリー機構を非常に少ない部品で構成でき、かつメモリー機構が記憶した傾斜角度位置に正確に戻るリクライニング装置を提供することにある。
【課題を解決するための手段】
【０００６】
本発明のリクライニング装置はベースプレートと該ベースプレートに対して相対的に回動可能に結合させたギヤプレートとの間に、カムによりギヤプレートの内歯に係脱可能にした外歯を有する２つのロックギヤを直径方向に互いに対向して配設し、ギヤプレートの内歯からロックギヤの外歯を離脱させることによりギヤプレートの別の内歯に係合可能な外歯を有するメモリーギヤを備え、ロックギヤ上には突出部を突設させると共にメモリーリングをギヤプレートの内周縁とロックギヤの突出部との間に配設し、ロックギヤとギヤプレートとの係合の際にスプリングの付勢によりメモリーリングが回動してロックギヤの突出部に当接する肩部をメモリーリングに設け、シートバックの前倒の際にロックギヤの突出部とメモリーリングの肩部との係合を外すためロックギヤを径内方向に移動させるフリー部をギヤプレートに備えると共にスプリングの付勢によりメモリーリングが回動してメモリーギヤの側面部に当接する係合突起をメモリーリングに設けたことを特徴とするものである。
【０００７】
ロックギヤにはその背面に形成した凹部にロックギヤを径外方向に付勢するスプリングを備え、メモリープレートには対向方向に形成した２つの引掛部にメモリーギヤを径内方向に付勢する弓形状スプリングを取付けてあり、ロックギヤはスプリングで径外方向に付勢されているので、ギヤプレートのフリー部がロックギヤの外歯上を走行してからメモリーリングのフリー部がロックギヤの突出部上を走行する作動を確実に行うことができる。
【０００８】
メモリーギヤには円弧状溝を形成し、該円弧状溝にはメモリープレートに形成した円弧状突起を嵌合させ、メモリープレートには２つのロックギヤの突出部に突設したカム突起に係合する２つのカム孔を設け、２つのカム孔を一直線上に延伸する長孔で形成してあり、メモリープレートはロックギヤのカム突起をメモリープレートの一直線上に形成されたカム孔に沿って移動させるため、メモリーギヤの外歯をギヤプレートの別の内歯に正確かつ確実に噛合させることができる。
【発明の効果】
【０００９】
本発明は上述した構成であるので、ギヤプレートの内歯に２つのロックギヤの外歯とギヤプレートの外歯とを迅速、正確かつ確実に係脱させることができ、しかも、ユニットの厚さが増大しないし、ユニット全体の構造が非常に簡単であるので、スペースの少ない車内においても容易に装着することができ、更にシートバックの傾斜角度を記憶するメモリー機構はメモリーリングとメモリーギヤとから構成されているので、それらの部材が少なく、構造が簡単であり、確実に作動し、記憶した傾斜角度位置に正確に戻る。
【発明を実施するための最良の形態】
【００１０】
本発明によるリクライニング装置はベースプレート１と、ギヤプレート２と、操作軸４と、カム５と、ロックギヤ６と、固定ガイド７と、スプリング９と、スプリング１２と、メモリーリング１３と、レバープレート１４と、外スプリング１７と、メモリープレート２２と、メモリーギヤ２６と、内スプリング３１とを有するものである。以下、各構成要素毎に説明する。
【００１１】
ベースプレート１は本実施例では図２に示したように車両用シートにおけるシートシートクッションに固定されるものである。該ベースプレート１は鋼板にプレス加工を施すことによって円形状に構成すると共に固定ガイド７を形成してある。
【００１２】
ギヤプレート２は前記ベースプレート１に対して回転可能に組み付けられると共に、車両用シートにおけるシートバックに固定されるものである。このギヤプレート２はシートバックが固定される面とは反対側の内周に内歯１０と別の内歯２９とを２段で形成している。この内歯１０はロックギヤ６の外歯８と噛合可能なものであり、該ロックギヤ６との噛み合いにより、シートバックの前後方向への傾動をロックするものであり、他方別の内歯２９はメモリーギヤ２６の外歯２８と噛合可能なものである。更にギヤプレート２にはロックギヤ６を径内方向に移動させるフリー部１８を形成してある。なお、ベースプレート１をシートバックに固定し、ギヤプレート２をシートクッションに固定してもよい。
【００１３】
固定ガイド７はベースプレート１の内面の２箇所に一対ずつ一体的に形成され、２つロックギヤ６の平行な両側面をそれぞれ挟持するものである。
【００１４】
ロックギヤ６は固定ガイド７間を摺動可能であると共に、固定ガイド７に当接する両側面同士を結ぶ一辺に外歯８を形成して、ギヤプレート２の内歯１０との噛合を可能とするものである。また、該ロックギヤ６の上面にはメモリーリング１３と当接する突出部６ａを設け、さらに該突出部６ａの上面にレバープレート１４のカム孔２１とメモリープレート２２のカム孔２３を挿通するカム突起６ｂを設け、ロックギヤ６の上面に２段の突起部を形成している。
【００１５】
カム５はベースプレート１の略中心位置に配置され、操作軸４に挿通されて、操作軸４と同時回転をすることによりロックギヤ６の移動を制御するものである。即ち、カム５の回転によって、該ロックギヤ６のギヤプレート２に対する噛合が行われる。また、該カム５には、レバープレート１４と嵌合可能にした２つのピン１９が設けられている。
【００１６】
スプリング９はカム５を回転させるように付勢して、ロックギヤ６がギヤプレート２の内歯１０に噛合した状態を維持するものである。本実施例において該スプリング９は渦巻きスプリングを採用し、一端をカム５に係合させ、他端はベースプレート１に突設した係合突起に係合させるものとしている。
【００１７】
操作軸４は、ベースプレート１及びギヤプレート２の中心部にそれぞれ穿設させた貫通穴に挿通して、これらのベースプレート１及びギヤプレート２を同軸枢支するものである。更に該操作軸４には操作レバー（図示しない）が装着されるものであり、乗員が該操作レバーを手動操作した場合に、ベースプレート１とギヤプレート２との間に配設されたカム５及びレバープレート１４が同時回転して、ロックギヤ６のギヤプレート２に対する噛合が行われることとなる。
【００１８】
レバープレート１４は図３及び図４に示したようにベースプレート１にロックギヤ６を重ねたその上に配設され、カム５と同時回転してロックギヤ６を径内方向に引き込み、ギヤプレート２に対するロックギヤ６の噛合を解除するものである。本実施例において該レバープレート１４は操作軸４が挿通できる孔を穿設し、カム５のピン１９と嵌合可能なピン孔２０を穿設し、ロックギヤ６のカム突起６ｂが挿通できるカム孔２１を穿設してなるものである。
【００１９】
メモリーリング１３はベースプレート１にロックギヤ６を重ねたその上にかつレバープレート１４の外周方向において、ギヤプレート２の内歯１０の内周縁とロックギヤ６の突出部６ａとの間に配設され、該メモリーリング１３には直径方向に対向して形成した肩部１５と、内径を突出させたフリー部１６と、外スプリング１７を取付ける係合突起１３ａと、内スプリング３１を取付ける係合突起１３ｂとが形成されている。外スプリング１７は図６に示したように一端がギヤプレート２に設けた孔２ａに係合され、他端が該メモリーリング１３の係合突起１３ａと係合されるように備えられ、メモリーリング１３を図１上で時計廻り方向に付勢し、内スプリング３１は図５に示したように一端がメモリーギヤ２６の係合突起２６ａと係合され、他端が該メモリーリング１３の係合突起１３ｂと係合されるように備えられ、メモリーリング１３の係合突起１３ｂとメモリーギヤ２６の係合突起２６ａが引き合うように付勢している。
【００２０】
メモリープレート２２は図４に示したようにロックギヤ６にレバープレート１４を重ねたその上に配設され、該メモリープレート２２にはロックギヤ６のカム突起６ｂと嵌合すると共に上部と下部とでロックギヤ６と垂直方向に段を設けるように形成されたカム孔２３と、メモリーギヤ２６の円弧状溝２７と回動可能に嵌合する円弧状突起２４と、弓形状スプリング２５を取付ける２つの引掛部２２ａとが設けられている。該弓形状スプリング２５はメモリープレート２２の２つの引掛部２２ａに係合され、メモリープレート２２を径内方向に付勢する。なお、図７に示した別の実施例としてメモリープレート２２は円弧状突起２４ではなく、２つ以上の丸突起２４ａを設けたものもある。
【００２１】
メモリーギヤ２６はレバープレート１４にメモリープレート２２を重ねたその上に配設され、メモリープレート２２の円弧状突起２４と嵌合する円弧状溝２７と、ギヤプレート２の内歯２９と噛合可能な外歯２８と、内スプリング３１を係合する係合突起２６ａとを設けている。更にメモリーギヤ２６には外スプリング１７の付勢によりメモリーリング１３の係合突起１３ａが当接する側面部２６ｂを備えている。
【００２２】
スプリング１２は図３に示したようにロックギヤ６の背面に形成された凹部１１内に取付けられ、ロックギヤ６を径外方向に付勢する。
【００２３】
シートバックの傾斜角度の調整について説明すると、操作軸４に係合させた操作レバー（図示せず）を解放させてロックギヤ６がカム５により径外方向に押され、ロックギヤ６の外歯８がギヤプレート２の内歯１０と係合しているロック状態において、操作レバーを操作させると、カム５がスプリング９の弾性に抗して回動し、カム５の回動によりレバープレート１４も回動してレバープレート１４のカム孔２１に嵌合しているロックギヤ６のカム突起６ｂが径内方向に引き込まれ、ギヤプレート２の内歯１０からロックギヤ６の外歯８を外す。それと同時にロックギヤ６のカム突起６ｂがメモリープレート２２のカム孔２３内に沿って移動してメモリープレート２２を２つのロックギヤ６と垂直な径外方向に移動させ、メモリープレート２２の垂直方向の移動によりメモリープレート２２の円弧状突起２４と係合している円弧状溝２７を有するメモリーギヤ２６も径外方向に移動し、メモリーギヤ２６の外歯２８がギヤプレート２の別の内歯２９と噛み合う。この状態においてベースプレート１に対してギヤプレート２を回動させ、例えば図８に示したようにシートバックの傾斜角度を調整することができる。その場合に、ロックギヤ６の突起部６ａはメモリーリング１３の肩部１５を越えてフリー部１６に乗り上げることはなく、またメモリープレート２２は弓形状スプリング２５により径内方向に付勢されている。
【００２４】
図１に示したシートバックの位置から図８に示したようなシートバックの後倒位置に調整する場合には、図８の位置までギヤプレート２を回動させると共にメモリーギヤ２６をも回動させ、その位置において操作レバーを解放させることにより、スプリング９によりカム５が回動し、カム５の回動によりロックギヤ６を径外方向に移動させ、同時にメモリープレート２２とメモリーギヤ２６も径内方向に戻り、ギヤプレート２の内歯１０にロックギヤ６の外歯８が噛合し、メモリーギヤ２６の外歯２８がギヤプレート２の別の内歯２９から離脱する。その時に内スプリング３１の付勢によりメモリーリング１３の肩部１５がロックギヤ６の突出部６ａと当接するまでメモリーリング１３が回動し、メモリーリング１３の係合突起１３ａがメモリーギヤ２６の側面部２６ｂに当接すると共にメモリーギヤ２６の外歯２８が２つのロックギヤ６に対する垂直位置に位置するまでメモリーギヤ２６が回動することにより、メモリーギヤ２６とメモリーリング１３はメモリー機構として図８に示したシートバックの傾斜角度位置、即ちギヤプレート２の回動角度位置を記憶する。
【００２５】
次に、シートバックを前倒位置に移動させる場合について説明すると、操作レバーを操作させることによりシートバックを前倒し方向にギヤプレート２を回動させると、メモリーリング１３はその肩部１５がロックギヤ６の突出部６ａに係合した状態でとどまる一方、メモリーギヤ２６はその側面部２６ｂがメモリーリング１３の係合突起１３ａから離れるようにメモリーギヤ２６と共にギヤプレート２が回動する。図９に示したようにギヤプレート２のフリー部１８がロックギヤ６の外歯８に当接し、ロックギヤ６の外歯８を押圧すると、ロックギヤ６が径内方向に押し込められ、ロックギヤ６の突出部６ａとメモリーリング１３の肩部１５との係合が外れると、外スプリング１７の付勢によりメモリーリング１３の係合突起１３ａがメモリーギヤ２６の側面部２６ｂに当接するまでメモリーリング１３が回動し、メモリーギヤ２６とメモリーリング１３とともに回動し、ギヤプレート２のフリー部１８がロックギヤ６の外歯８上を走行し、メモリーリング１３のフリー部１６がロックギヤ６の突出部６ａ上を走行して図１０に示した前倒し状態となり、操作レバーを解放しても、ロックギヤ６はロックフリーとなって前倒し状態が保持される。従って、ギヤプレート２のフリー部１８がロックギヤ６の外歯８を径内方向に押し込んでメモリーリング１３の肩部１５がロックギヤ６の突出部６ａ上に進入した時点でメモリー機構が作動し、それ以前の前倒し状態ではメモリー機構が作動することはない。
【００２６】
シートバックを元の調整位置に戻すには、シートバックを前倒位置から戻すと、ギヤプレート２と、メモリーギヤ２６と、メモリーリング１３とが回動し、ギヤプレート２のフリー部１８がロックギヤ６の外歯８を通り、メモリーリング１３のフリー部１６がロックギヤ６の突出部６ａ上を通過し、更にメモリーリング１３の肩部１５がロックギヤ６の突出部６ａを通過した時点でメモリーリング１３の肩部１５がロックギヤ６の突出部６ａに係合すると共にロックギヤ６が径外方向に移動してロックギヤ６の外歯８がギヤプレート２の内歯１０に噛合し、ロックギヤ６がその記憶位置でロックされ、ギヤプレート２が元の調整位置に戻ったことになる。
【図面の簡単な説明】
【００２７】
【図１】本発明のリクライニング装置のギヤプレートを切欠してその内部の主要部材を示す平面図である。
【図２】ロックギヤをギヤプレートに噛合させた状態を示す平面図である。
【図３】図１のＡ−Ａ線に沿う断面図である。
【図４】本発明のリクライニング装置の構成部材の斜視図である。
【図５】メモリーギヤとメモリーリングに対する内スプリングの取付け状態を示す断面図である。
【図６】ギヤプレートとメモリーリングに対する外スプリングの取付け状態を示す斜視図である。
【図７】メモリープレートの他の実施例の斜視図である。
【図８】シートバックの傾斜角度の調整を示す平面図である。
【図９】ロックギヤを径内方向に引っ込めてメモリー機構を作動させる状態を示す平面図である。
【図１０】シートバックの前倒状態を示す平面図である。
【符号の説明】
【００２８】
１            ベースプレート
２            ギヤプレート
２ａ          孔
３            ブラケット
４            操作軸
５            カム
６            ロックギヤ
６ａ          突出部
６ｂ          カム突起
７            固定ガイド
８            外歯
９            スプリング
１０          内歯
１１          凹部
１２          スプリング
１３          メモリーリング
１３ａ        係合突起
１３ｂ        係合突起
１４          レバープレート
１５          肩部
１６          フリー部
１７          外スプリング
１８          フリー部
１９          ピン
２０          ピン孔
２１          カム孔
２２          メモリープレート
２２ａ        引掛部
２３          カム孔
２４          円弧状突起
２４ａ        丸突起
２５          弓形状スプリング
２６          メモリーギヤ
２６ａ        係合突起
２６ｂ        側面部
２７          円弧状溝
２８          外歯
２９          内歯
３０          スペーサー
３１          内スプリング
【図１】
2008119362.tif 000003
【図２】
2008119362.tif 000004
【図３】
2008119362.tif 000005
【図４】
2008119362.tif 000006
【図５】
2008119362.tif 000007
【図６】
2008119362.tif 000008
【図７】
2008119362.tif 000009
【図８】
2008119362.tif 000010
【図９】
2008119362.tif 000011
【図１０】
2008119362.tif 000012